(57)【要約】【課題】内部に収容された吸収性物品の向きを外部から把握することができる個包装体、個包装体の集合体及び複数の個包装体を収容した収容パッケージの提供。【解決手段】個包装体１００に収容された吸収性物品１０は、長手方向Ｙ及び幅方向Ｘを有し、透液性の表面シート１１と、不透液性の裏面シート１２と、表裏面シート１１，１２間に介在された吸収体２０とを備える。吸収性物品１０は、折り畳まれた状態において、包装シート１０１を介して外部に視認可能な幅方向Ｘの一方側と他方側とを識別させるための識別手段４０を有する。【選択図】図１
2020005847.tif 000002
【特許請求の範囲】
【請求項１】
包装シートと、前記包装シートに折り畳まれた状態で包被される吸収性物品とを含む吸収性物品の個包装体において、
前記吸収性物品は、長手方向及び幅方向を有し、透液性の表面シートと、不透液性の裏面シートと、前記表裏面シート間に介在された吸収体とを備え、
前記吸収性物品は、折り畳まれた状態において、前記包装シートを介して外部に視認可能な前記幅方向の一方側と他方側とを識別させるための識別手段を有することを特徴とする前記個包装体。
【請求項２】
前記吸収性物品は、前記長手方向へ延びる第１及び第２側縁部をさらに有し、前記識別手段は、前記第１及び第２側縁部のうちの前記第１側縁部にのみ配置された装飾域である請求項１に記載の個包装体。
【請求項３】
前記吸収性物品は、前記長手方向へ延びる第１及び第２側縁をさらに有し、
前記第１側縁の形状と前記第２側縁の形状とが互いに異なる請求項１に記載の個包装体。
【請求項４】
前記包装シートの全光線透過率は、１０％以上９０％未満である請求項１−３のいずれかに記載の個包装体。
【請求項５】
前記吸収性物品は、前記幅方向において互いに対向する一対のウイング部をさらに有し、
前記装飾域は、前記ウイング部の前記長手方向へ延びる折曲ラインよりも前記幅方向の外側に延在する請求項２に記載の個包装体。
【請求項６】
前記吸収性物品は、前記裏面シートの外面に位置する止着域を被覆するセパレータをさらに有し、前記第１側縁部において、前記セパレータの一方側縁から前記装飾域が前記幅方向の外側へ延在している請求項２又は５に記載の個包装体。
【請求項７】
前記包装シートは装飾域を有し、前記包装シートの前記装飾域と前記吸収性物品の前記装飾域とが互いに重なり合う請求項２，４−６のいずれかに記載の個包装体。
【請求項８】
前記吸収性物品は、前記長手方向へ延びる第１及び第２側縁部と、前記第側縁部に位置する第１装飾域と、前記第２側縁部に位置する第２装飾域とをさらに有し、前記第１装飾域の総面積と前記第２着色域の総面積とが互いに異なる請求項１に記載の個包装体。
【請求項９】
前記吸収性物品は、前記長手方向へ延びる第１及び第２側縁部と、前記第側縁部に位置する着色された第１装飾域と、前記第２側縁部に位置する着色された第２装飾域とをさらに有し、
第１装飾域の着色された色と前記第２装飾域の着色された色とが互いに異なる請求項１に記載の個包装体。
【請求項１０】
前記吸収性物品は、前記長手方向の寸法を２等分する横断中心線と、前記幅方向へ延びる第１端縁とを有し、
前記装飾域は、前記第１側縁部のうちの前記横断中心線と前記第１端縁との間にのみ位置する請求項２に記載の個包装体。
【請求項１１】
前記吸収性物品は、前記長手方向の寸法を２等分する横断中心線と、前記幅方向へ延びる第１端縁とを有し、
前記装飾域は、前記第１側縁部のうちの前記横断中心線と前記第１端縁との間にのみ存在しない請求項２に記載の個包装体。
【請求項１２】
包装シートと、前記包装シートに折り畳まれた状態で包被される吸収性物品とを含む吸収性物品の個包装体において、
前記吸収性物品は、長手方向及び幅方向を有し、透液性の表面シートと、不透液性の裏面シートと、前記表裏面シート間に介在された吸収体とを備え、
前記吸収性物品は、折り畳まれた状態において、前記包装シートを介して外部に視認可能な前記長手方向の一方側と他方側とを識別させるための識別手段を有することを特徴とする前記個包装体。
【請求項１３】
前記吸収性物品は、前記長手方向の寸法を２等分する横断中心線と、前記幅方向へ延びる第１及び第２折曲線とをさらに有し、前記横断中心線は、前記長手方向において前記第１折曲線と前記第２折曲線との間に位置しており、前記識別手段は、前記第１折曲線を前記長手方向へ跨ぐ装飾域であって、前記装飾域は前記横断中心線よりも前記第２折曲線側に配置されていない請求項１２に記載の個包装体。
【請求項１４】
複数の個包装体の集合体において、
前記個包装体は、包装シートと、前記包装シートに折り畳まれた状態で包被される吸収性物品とを含み、
前記吸収性物品は、長手方向及び幅方向を有し、透液性の表面シートと、不透液性の裏面シートと、前記表裏面シート間に介在された吸収体とを備え、
前記吸収性物品は、折り畳まれた状態において、前記包装シートを介して外部に視認可能な前記幅方向の一方側と他方側とを識別させるための識別手段を有し、
前記識別手段は、前記吸収性物品の前記長手方向へ延びる第１及び第２側縁部のうちの前記第１側縁部にのみ配置された装飾域であって、
前記複数の個包装体ごとに前記装飾域の装飾要素が異なることを特徴とする前記集合体。
【請求項１５】
前記複数の個包装体は、互いに隣接して並んでおり、かつ、外形寸法が互いに実質的に等しい第１個包装体と第２個包装体とを少なくとも有し、前記第１個包装体と第２個包装体とは、前記装飾域の装飾要素が互いに異なる請求項１４に記載の集合体。
【請求項１６】
前記複数の個包装体は、第１個包装体と、前記第１個包装体よりも外形寸法の大きな第２個包装体とを少なくとも有し、前記第１個包装体と前記第２個包装体とは、前記装飾域の装飾要素が互いに異なる請求項１４に記載の集合体。
【請求項１７】
複数の前記個包装体を収容する収容パッケージにおいて、
前記個包装体は、包装シートと、前記包装シートに折り畳まれた状態で包被される吸収性物品とを含み、
前記吸収性物品は、長手方向及び幅方向を有し、透液性の表面シートと、不透液性の裏面シートと、前記表裏面シート間に介在された吸収体とを備え、
前記吸収性物品は、折り畳まれた状態において、前記包装シートを介して外部に視認可能な前記幅方向の一方側と他方側とを識別させるための識別手段を有し、
前記識別手段は、前記吸収性物品の前記長手方向へ延びる第１及び第２側縁部のうちの前記第１側縁部にのみ配置された装飾域であって、
前記装飾域の向きが合うように、前記複数の個包装体が互いに同じ向きに収容されていることを特徴とする収容パッケージ。
【請求項１８】
第１方向とそれに交差する第２方向と、第１方向において対向する第１面及び第２面をさらに有し、前記個包装体は前記第２方向へ複数並んで配置され、かつ、前記第１方向において前記装飾域の向きが合うように同じ向きに収容されており、
前記第１及び第２面のうちの前記第１面にのみパッケージ装飾域が配置されており、
前記個包装体の前記装飾域は前記パッケージ装飾域と対向する請求項１７に記載の収容パッケージ。
【請求項１９】
第１方向とそれに交差する第２及び第３方向と、第１方向において対向する第１面及び第２面をさらに有し、前記個包装体は、前記第２方向へ複数並んで配置され、かつ、前記第３方向において互いに前記装飾域の向きが合うように同じ向きに収容されており、
前記第１面は、第３方向において対向する第１側部と第２側部とを有し、前記第１側部にはパッケージ装飾域が位置し、前記個包装体の前記装飾域は前記第１側部側に位置している請求項１７に記載の収容パッケージ。
【発明の詳細な説明】
【技術分野】
【０００１】
この発明は吸収性物品に関し、より詳しくは、軽失禁パッド、パンティライナ、生理用ナプキン、おりもの吸収用パッド、尿吸収パッド、大人用及び子供用の使い捨ておむつ等の吸収性物品の個包装体、個包装体の集合体及び複数の個包装体を収容した収容パッケージに関する。
【背景技術】
【０００２】
従来、吸収性物品の個包装体及び複数の個包装体を収容した収容パッケージは公知である。例えば、特許文献１には、生理用ナプキンと生理用ナプキンを包被する包装シートとを備えた個包装体が開示されている。
【先行技術文献】
【特許文献】
【０００３】
【特許文献１】特開２００５−１８５８５８公報
【０００４】
特許文献１に開示された吸収性物品においては、吸収性物品の外面に着色された装飾域が配置されていることから、装飾域が包装シートを介して透視されて、個包装体の意匠性を向上させることができる。
【発明の概要】
【発明が解決しようとする課題】
【０００５】
しかし、装飾域は、一様に同じ柄のデザインが複数配置されて構成されていることから方向性を有するものではなく、着用者が包装シートから吸収性物品を取り出して使用しようとするときに、内部に収容された生理用ナプキンの向きを把握し難い。したがって、包装シートから生理用ナプキンを取り出して展開する度に、生理用ナプキンの向きが異なることがある。着用者は、生理用ナプキンの前後を把握したうえでショーツ等の被服に止着する必要があるので、前後を瞬時に把握することができないために躊躇して操作する手が止まったり、逆向きにしたりすることがあり、取付操作をスムーズに行うことができない。
【０００６】
本発明は、内部に収容された吸収性物品の向きを外部から把握することができる個包装体、個包装体の集合体及び複数の個包装体を収容した収容パッケージの提供を課題とする。
【課題を解決するための手段】
【０００７】
本願の第１及び第２発明は、包装シートと、前記包装シートに折り畳まれた状態で包被される吸収性物品とを含む吸収性物品の個包装体に関する。
【０００８】
第１発明に係る個包装体は、吸収性物品は、長手方向及び幅方向を有し、透液性の表面シートと、不透液性の裏面シートと、前記表裏面シート間に介在された吸収体とを備え、前記吸収性物品は、折り畳まれた状態において、前記包装シートを介して外部に視認可能な前記幅方向の一方側と他方側とを識別させるための識別手段を有することを特徴とする。
【０００９】
本願の第２発明に係る個包装体は、前記吸収性物品は、長手方向及び幅方向を有し、透液性の表面シートと、不透液性の裏面シートと、前記表裏面シート間に介在された吸収体とを備え、前記吸収性物品は、折り畳まれた状態において、前記包装シートを介して外部に視認可能な前記長手方向の一方側と他方側とを識別させるための識別手段を有することを特徴とする。
【００１０】
本願の第３発明は、複数の個包装体の集合体において、前記個包装体は、包装シートと、前記包装シートに折り畳まれた状態で包被される吸収性物品とを含み、前記吸収性物品は、長手方向及び幅方向を有し、透液性の表面シートと、不透液性の裏面シートと、前記表裏面シート間に介在された吸収体とを備え、前記吸収性物品は、折り畳まれた状態において、前記包装シートを介して外部に視認可能な前記幅方向の一方側と他方側とを識別させるための識別手段を有し、前記識別手段は、前記吸収性物品の前記長手方向へ延びる第１及び第２側縁部のうちの前記第１側縁部にのみ配置された装飾域であって、前記複数の個包装体ごとに前記装飾域の装飾要素が異なることを特徴とする前記集合体に関する。
【００１１】
本願の第４発明は、複数の前記個包装体を収容する収容パッケージにおいて、前記個包装体は、包装シートと、前記包装シートに折り畳まれた状態で包被される吸収性物品とを含み、前記吸収性物品は、長手方向及び幅方向を有し、透液性の表面シートと、不透液性の裏面シートと、前記表裏面シート間に介在された吸収体とを備え、前記吸収性物品は、折り畳まれた状態において、前記包装シートを介して外部に視認可能な前記幅方向の一方側と他方側とを識別させるための識別手段を有し、前記識別手段は、前記吸収性物品の前記長手方向へ延びる第１及び第２側縁部のうちの前記第１側縁部にのみ配置された装飾域であって、前記装飾域の向きが合うように、前記複数の個包装体が互いに同じ向きに収容されていることを特徴とする前記収容パッケージに関する。
【００１２】
本願の第１発明に係る個包装体は、以下の実施態様を含む。下記の実施態様は、単独の構成のほかに、任意に選択して複数の実施態様に係る構成を組み合わせることができる。
（１）前記吸収性物品は、前記長手方向へ延びる第１及び第２側縁部をさらに有し、前記識別手段は、前記第１及び第２側縁部のうちの前記第１側縁部にのみ配置された装飾域である。
（２）前記吸収性物品は、前記長手方向へ延びる第１及び第２側縁をさらに有し、前記第１側縁の形状と前記第２側縁の形状とが互いに異なる。
（３）前記包装シートの全光線透過率は、１０％以上９０％未満である。
（４）前記吸収性物品は、前記幅方向において互いに対向する一対のウイング部をさらに有し、前記装飾域は、前記ウイング部の前記長手方向へ延びる折曲ラインよりも前記幅方向の外側に延在する。
（５）前記吸収性物品は、前記裏面シートの外面に位置する止着域を被覆するセパレータをさらに有し、前記第１側縁部において、前記セパレータの一方側縁から前記装飾域が前記幅方向の外側へ延在している。
（６）前記包装シートは装飾域を有し、前記包装シートの前記装飾域と前記吸収性物品の前記装飾域とが互いに重なり合う。
（７）前記吸収性物品は、前記長手方向へ延びる第１及び第２側縁部と、前記第１側縁部に位置する第１装飾域と、前記第２側縁部に位置する第２装飾域とをさらに有し、前記第１装飾域の総面積と前記第２着色域の総面積とが互いに異なる。
（８）前記吸収性物品は、前記長手方向へ延びる第１及び第２側縁部と、前記第１側縁部に位置する着色された第１装飾域と、前記第２側縁部に位置する着色された第２装飾域とをさらに有し、前記第１装飾域の着色された色と前記第２装飾域の着色された色とが互いに異なる。
（９）前記吸収性物品は、前記長手方向の寸法を２等分する横断中心線と、前記幅方向へ延びる第１端縁とを有し、前記装飾域は、前記第１側縁部のうちの前記横断中心線と前記第１端縁との間にのみ位置する。
（１０）前記吸収性物品は、前記長手方向の寸法を２等分する横断中心線と、前記幅方向へ延びる第１端縁とを有し、前記装飾域は、前記第１側縁部のうちの前記横断中心線と前記第１端縁との間にのみ存在しない。
【００１３】
本願の第２発明に係る個包装体は、以下の実施態様を含む。下記の実施態様は、単独の構成のほかに、任意に選択して複数の実施態様に係る構成を組み合わせることができる。
（１）前記吸収性物品は、前記長手方向の寸法を２等分する横断中心線と、前記幅方向へ延びる第１及び第２折曲線とをさらに有し、前記横断中心線は、前記長手方向において前記第１折曲線と前記第２折曲線との間に位置しており、前記識別手段は、前記第１折曲線を前記長手方向へ跨ぐ装飾域であって、前記装飾域は前記横断中心線よりも前記第２折曲線側に配置されていない。
【００１４】
本願の第３発明に係る集合体は、以下の実施態様を含む。下記の実施態様は、単独の構成のほかに、任意に選択して複数の実施態様に係る構成を組み合わせることができる。
（１）前記複数の個包装体は、互いに隣接して並んでおり、かつ、外形寸法が互いに実質的に等しい第１個包装体と第２個包装体とを少なくとも有し、前記第１個包装体と第２個包装体とは、前記装飾域の装飾要素が互いに異なる。
（２）前記複数の個包装体は、第１個包装体と、前記第１個包装体よりも外形寸法の大きな第２個包装体とを少なくとも有し、前記第１個包装体と前記第２個包装体とは、前記装飾域の装飾要素が互いに異なる。
【００１５】
本願の第４発明に係る収容パッケージは、以下の実施態様を含む。下記の実施態様は、単独の構成のほかに、任意に選択して複数の実施態様に係る構成を組み合わせることができる。
（１）第１方向とそれに交差する第２方向と、第１方向において対向する第１面及び第２面をさらに有し、前記個包装体は前記第２方向へ複数並んで配置され、かつ、前記第１方向において前記装飾域の向きが合うように同じ向きに収容されており、前記第１及び第２面のうちの前記第１面にのみパッケージ装飾域が配置されており、前記個包装体の前記装飾域は前記パッケージ装飾域と対向する。
（２）第１方向とそれに交差する第２及び第３方向と、第１方向において対向する第１面及び第２面をさらに有し、前記個包装体は、前記第２方向へ複数並んで配置され、かつ、前記第３方向において互いに前記装飾域の向きが合うように同じ向きに収容されており、前記第１面は、第３方向において対向する第１側部と第２側部とを有し、前記第１側部にはパッケージ装飾域が位置し、前記個包装体の前記装飾域は前記第１側部側に位置している。
【発明の効果】
【００１６】
本願に係る吸収性物品の個包装体、個包装体の集合体及び個包装体の収容パッケージにおいては、個包装体の内部に収容された収容物品の向きを外部から把握することができるので、スムーズに取り付け操作を行うことができる。
【図面の簡単な説明】
【００１７】
図面は、本発明の特定の実施の形態を示し、発明の不可欠な構成ばかりでなく、選択的及び好ましい実施の形態を含む。
【図１】本発明に係る個包装体の斜視図。
【図２】止着テープの止着を解除して、包装シートの一部を展開した状態における個包装体の斜視図。
【図３】生理用ナプキンを表面側から視た平面図。
【図４】生理用ナプキンを裏面側から視た平面図。
【図５】個包装体を展開した状態を示す図。
【図６】第２実施形態に係る個包装体の図５と同様の図。
【図７】（ａ）第３実施形態に係る個包装体の斜視図。（ｂ）第４実施形態に係る個包装体の斜視図。
【図８】（ａ）第５実施形態に係る吸収性物品の平面図。（ｂ）第５実施形態に係る個包装体の斜視図。
【図９】（ａ）第６実施形態に係る吸収性物品の平面図。（ｂ）第６実施形態に係る個包装体の斜視図。
【図１０】（ａ）複数の個包装体からなる集合体の斜視図。（ｂ）実施例の一例における、集合体の斜視図。
【図１１】複数の個包装体を収容した収容パッケージの一部破断斜視図。
【図１２】（ａ）実施例の一例における収容パッケージの一部破断斜視図。（ｂ）他の実施例の一例における収容パッケージの一部破断斜視図。
【発明を実施するための形態】
【００１８】
下記の実施の形態は、添付の図面に示す吸収性物品に関し、発明の不可欠な構成ばかりではなく、選択的及び好ましい構成を含む。以下、添付の図面を参照して、この発明に係る吸収性物品の一例である生理用ナプキン１０の実施形態を説明する。
【００１９】
図１〜３を参照すると、包装体１００は、長手方向Ｙと、幅方向Ｘと、厚さ方向Ｚとを有し、包装シート１０１に包被された生理用ナプキン１０とを含む。包装体１００の各方向Ｘ，Ｙ，Ｚは、図２に示すような展開した状態において、生理用ナプキン１０の長手方向、幅方向、厚さ方向と一致する。図１を参照すると、包装体１００は、生理用ナプキン１０が収容された包装状態において、幅方向Ｘにおいて対向する一対の第１縁部１０２，１０３と、第１及び第２縁部１０２，１０３に交差して幅方向Ｘへ延びる第３及び第４縁部１０４，１０５とを有する。
【００２０】
図２を参照すると、包装シート１０１は、熱可塑性合成樹脂の繊維不織布、合成樹脂フィルム、繊維不織布と合成樹脂フィルムとのラミネートシートとから形成される。包装シート１０１は、展開された状態において、長手方向Ｙにおいて互いに対向するシート第１及び第２端縁１０１ａ，１０１ｂと、幅方向Ｘにおいて対向するシート両側縁１０１ｃ，１０１ｄとをさらに有する。包装シート１０１が、不織布製である場合には、質量が５〜５０ｇ／ｍ２であることが好ましい。不織布製の包装シート１０１の質量が５ｇ／ｍ２未満の場合には、比較的に肉薄となって、展開操作するときに包装シート１０１の一部が破れてしまい操作し難くなるおそれがあり、一方、質量が５０ｇ／ｍ２以上の場合には、比較的に肉厚となって、生理用ナプキン１０に配置された、後記の識別手段をなす装飾域４０が視認され難くなるおそれがある。
【００２１】
生理用ナプキン１０は、長手方向Ｙと、幅方向Ｘと、厚さ方向Ｚと、その幅方向Ｘにおける寸法を２等分する縦断中心線Ｐ、と長手方向Ｙの寸法を２等分する横断中心線Ｑとを有する。生理用ナプキン１０は、肌対向面側及びその反対側の非肌対向面側と、肌対向面側に位置する透液性の表面シート１１と、非肌対向面側に位置する不透液性の裏面シート１２と、これら両シート１１，１２間に位置する吸液性の吸収体２０とを含む。
【００２２】
生理用ナプキン１０は、略十字状の形状を有し、その外形線は、長手方向Ｙの内側に向かって凹曲する第１及び第２端縁１０ａ，１０ｂと、横断中心線Ｑと交差する部分において幅方向Ｘの外側へ凸曲する第１及び第２側縁１０ｃ，１０ｄとから画成されている。
【００２３】
なお、図示していないが、生理用ナプキン１０の柔軟性を向上させるために、表面シート１１と吸収体２０との間に比較的に嵩高の繊維不織布製の中間シートを配置してもよい。
【００２４】
吸収体２０は、第１端縁１０ａと対向する第１端縁２０ａと第２端縁１０ｂと対向する第２端縁２０ｂと、第１及び第２端縁１０ａ，１０ｂ間において長手方向へ延びる第１及び第２側縁２０ｃ，２０ｄとを有する。表裏面シート１１，１２は、吸収体２０の外周から外方へ延出しており、表面シートの肌対向面側には、幅方向Ｘにおいて互いに対向するように長手方向Ｙへ延びる一対のサイドシート１４が配置される。一対のサイドシート１４は、表面シート１１にサイド接着部を介して接合される。
【００２５】
生理用ナプキン１０は、幅方向Ｘへ延びる第１及び第２端部１５，１６と、長手方向Ｙへ延びる第１及び第２側縁部１７，１８とを有する。第１及び第２側縁部１７，１８は、それぞれ、幅方向Ｘの外側へ凸となるウイング部１９を有する。第１端部１５と第２端部１６とには、それぞれ、吸収体２０の第１端縁２０ａと第２端縁２０ｂとが位置し、第１側縁部１７と第２側縁部１８とには、それぞれ、吸収体２０の第１側縁２０ｃと第２側縁２０ｄとが位置する。生理用ナプキン１０は、吸収体２０の外周縁から延出する外周縁部をさらに有する。外周縁部を形成するように互いに積層されたシートは、生理用ナプキン１０の外周縁に沿って位置する外周シール部７を介して互いに接合されている。生理用ナプキン１０の外周にシートを熱溶着した外周シール部７が位置することによってその外形状が明瞭となって、より包装シート１０１を介して透視され易くなるといえる。
【００２６】
図５を参照すると、生理用ナプキン１０の裏面側には、複数の止着域５０が配置される。複数の止着域５０は、生理用ナプキン１０を下着等の被服に止着するためのものであって、長手方向Ｙへ延びる複数のライン状に塗布された粘着剤や感圧性接着剤から形成される。止着域５０は、吸収体２０と重なる領域において長手方向Ｙへ延びる中央止着域５１と、ウイング部１９に位置するサイド止着域５２とを有し、使用する前には、それぞれ、セパレータ２８，２９によって被覆される。
【００２７】
表面シート１１には、開口プラスチックフィルム、織布、不織布等の、体液に含まれる液体成分を透過可能なシートを好適に用いることができる。裏面シート１２には、ポリエチレン、ポリプロピレン等の熱可塑性樹脂を主体とした熱可塑性樹脂フィルム、通気性を付与した熱可塑性樹脂フィルムなどを好適に用いることができる。サイドシート１４には、表面シート１１と同様のシート材を用いることができる。但し、生理用ナプキン１０の外側へ体液が流れにくくするためには、疎水性もしくは撥水性を有するシート材を用いることが好ましい。
【００２８】
外周シール部７における各シートの接合は、接着剤による接合、超音波溶着、熱溶着、レーザー溶着、高周波溶着等の公知の溶着手段による接合、及びエンボス加工による接合を、単独又は組み合わせて行うことができる。また、厚さ方向Ｚにおいて積層されたシートは、ホットメルト接着剤等の接着剤を介して互いに接合される。ホットメルト接着剤の塗工方法としては、スパイラル塗工、コーター塗工、カーテンコーター塗工、スプレー塗工などの各種公知の塗工方法が挙げられる。
【００２９】
吸収体２０は、所要の形状に賦形された吸液性コアを含んでおり、コアラップシートに包被されていることが好ましい。吸液性コアは、不水溶性の超吸収性ポリマー粒子（ＳＡＰ粒子）と、フラップ木材パルプ（パルプ繊維）やレーヨン繊維等のセルロース系繊維とからなる吸収性・離散性材料を有する。吸収体２０のウイング部１９間に位置する領域は、着用者の膣口対向域であって、該領域には、吸収体２０が他の部分に比して肉厚にされた中高部分２１が位置する。
【００３０】
図２及び図３を参照すると、生理用ナプキン１０は、ウイング部１９の基端部分を縦断して延びる一対の縦折曲線５，６を有し、縦折曲線５，６に沿ってウイング部１９を表面側に向かって幅方向Ｘの内側へ折り曲げた状態で包装シート１０１の内面に配置される。包装シート１０１は、幅方向Ｘへ延びる第１及び第２折曲線１１１，１１２と、第２折曲線１１２と第１端縁１０１ａとの間に位置する第１区域１２１と、第１折曲線１１１と第２端縁１０１ｂとの位置する第２区域１２２と、第１折曲線１１１と第２折曲線１１２との間に位置する中間区域（第３区域）１２３とをさらに有する。一対の縦折曲線５，６は、ウイング部１９の基端部と重なる仮想ラインのほかに、ウイング部１９の長手方向Ｙにおいて対向して位置して幅方向の外側へ凸曲した部分をつなぐ仮想ラインであってもよいし、表面シート１１の表面側に固定された一対のサイドシート１４の内側縁部（カフ弾性体を有する場合には折曲部分）に沿う、シートの積層枚数によって幅方向Ｘの内側と外側とで剛性が変化する、仮想ラインであってもよい。
【００３１】
包装シート１０１は、内面１００ａに生理用ナプキン１０が配置された状態で、第１折曲線１１１に沿って第２区域１２２を中間域１２３の内面に向かって折り曲げ、さらに、第２折曲線１１２に沿って第１区域１２１を中間区域１２３に向かって折り曲げて、３つ折りに折り畳まれた状態で積層される。包装シート１０１の第１区域１２１の外面に位置する止着テープ１３０を対向する第１区域１２２に止着することによって積層された状態が維持されて個包装体１００が形成される。個包装体１００の内部に異物等が侵入するのを防止するために、第１及び第２縁部１０２，１０３はシール部１３９によって接合される。
【００３２】
生理用ナプキン１０は、折り畳まれた状態において、包装シート１０１を介して外部に視認可能な幅方向Ｘの一方側と他方側とを識別させるための識別手段を有する。本実施形態においては、識別手段は、裏面シート１１に配置された装飾域４０から構成されている。また、包装シート１０１は、生理用ナプキン１０の識別手段と同様の識別要素、本実施形態の場合には、生理用ナプキン１０の装飾域４０と同じデザインを有する装飾域を有していてもよい。装飾域４０は、裏面シート１２の内面又は外面のいずれに配置されていてもよい。ただし、印刷によるインクの脱落を防止するために、裏面シート１２の内面に装飾域４０が配置されていることが好ましい。
【００３３】
装飾域４０は、着色された複数の独立した装飾部４１から形成されており、生理用ナプキン１０の表面側及び裏面側から少なくとも一部が視認可能であるのに加えて、個包装体１００において包装シート１０１を介して透視可能である。装飾域４０は、生理用ナプキン１０の第１及び第２側縁部１７，１８のうちの第１側縁部１７にのみ配置されていることから、着用者等は、生理用ナプキン１０の表面視及び裏面視において、装飾域４０が配置された第１側縁部１７と装飾域４０が配置されていない第２側縁部１８とを識別することができる。その意味において、装飾域４０は、生理用ナプキン１０の幅方向Ｘの一方側と他方側とを識別することのできる識別手段といえる。
【００３４】
装飾部４１は、大小の略三角形であって、生理用ナプキン１０の第１及び第２側縁部１７，１８うちの第１側縁部１７にのみ互いに独立した状態で配置されている。装飾部４１は、長手方向Ｙ及び幅方向Ｘにおいて互いに間隔を空けて配置されている態様、平面視において一部が互いに重なり合っている態様等の複数の配置態様を有する。
【００３５】
装飾部４１は、本発明の後記の技術的効果を奏する限りにおいて、図示した形状のほかに、略円形、略楕円形、略四角形、略台形、略星形、花弁形及びその他の各種公知の装飾模様、文字（例えば、「右、左」の文字表示等）、キャラクター等の形状を有していてもよい。また、装飾部４１は全体として着色されており、着色される色は、酸化チタン等の白色顔料を添加することによって白色化された生理用ナプキンを構成するシート材料及び吸液性コアと視覚上明瞭に識別できる色であればよく、例えば、赤色、青色、黄色、緑色等の着用者等の注意を惹きつけるような色合いであることが好ましい。また、裏面シート１２及び／又は包装シート１０１全体が白色以外に着色されている場合には、装飾部４１は、その着色されて色と補色関係にある色に着色されていることが好ましい。
【００３６】
本明細書における「白色」とは、マンセル表色系で「Ｎ９．５」と表される色や、ＲＧＢ色空間で「２５５，２５５，２５５」と表される色、所謂、「真っ白」を例示することができる。また、「真っ白」と同じ系統色である、色、具体的には、「真っ白」との色差が０以上、１２未満である色も「白色」に含まれる。「白色」以外の色が有色であり、寒色はこの部類に属する。具体的には、上記に定義した「白色」との色差が４０以上の色であることが好ましい。白色の特定方法は、白色に対する色差で比較でき、例えば、コニカミノルタ社製の色彩色差計ＣＲ−３００を用いて特定することができる。
【００３７】
識別手段を構成する装飾域４０は、包装シート１０１を介して透視される限りにおいては、裏面シート１２の外面側ではなく、その内面側、又は、表面シート１１、サイドシート１４、吸収体２０を構成するコアカバーシート等の表面側又は裏面側に配置されていてもよい。さらに、装飾域４０は各シートに直接印刷されるもののほかに、シール、パッチ等の別体を貼付したものであってもよい。
【００３８】
再び、図１を参照すると、生理用ナプキン１０の第１及び第２側縁部１７，１８のうちの第１側縁部１７にのみ装飾域４０が配置されていることによって、個包装体１００において、第１側縁部１７が折り重ねられた第１縁部１０２側において装飾域４０が透視される一方、装飾域４０が配置されていない第２側縁部１８が折り重ねられた第２縁部１０３側には、装飾域４０が透視されることはない。したがって、個包装体１００は、第１縁部１０２側と第２縁部１０３側とにおいて異なるデザインを有する。
【００３９】
通常、生理用ナプキン等の吸収性物品の個包装体は、折り畳まれた状態で包装シートに収容された略矩形状を有するものであるから、展開したときに、生理用ナプキンがどの向きに収容されているのか判断することが難しい。すなわち、展開したときに、生理用ナプキンの前方側が着用者の手前に位置するのか、後方側が手前に位置するのか判断することができないことから、展開して使用するごとに、生理用ナプキンの前後を確認する必要があり、手間である。また、生理用ナプキンの形態が前後で非対称の場合であっても、その非対称となる要素が、止着域の長さが前後で異なることであったり、吸収体の質量が前後で異なることである場合には、着用者が一見してそれの差異を容易に判別することができるものではない。
【００４０】
本実施形態においては、着用者等は、個包装体１００が幅方向Ｘにおいて対向する第１縁部１０２側と第２縁部１０３側とが互いに異なるデザインを有することによって、個包装体１００における幅方向Ｘの一方側と他方側とを容易に識別することができる。また、生理用ナプキン１０の第１側縁部１７にのみ識別手段を構成する装飾域４０が位置することによって、個包装体１００の第１縁部１０２側が生理用ナプキン１０の第１側縁部１７が位置する側であって、図５に示すように、包装シート１０１を展開したときに、手前に後方側、奥に前方側が位置することを容易にイメージすることができる。
【００４１】
このように、包装シート１０１から透視される識別手段を介して生理用ナプキン１０の向きを把握することができるので、例えば、複数の個包装体１００を縦置きしたり平置きして並べる場合において、識別手段が位置する第１縁部１０２を同じ方向に揃えて並べることによって、着用者はスムーズに展開操作を行うことができる。
【００４２】
着用者は、識別手段の機能的な説明について何らの情報を与えられなかったとしても、個包装体１００を複数回使用することによって、識別手段（装飾域４０）が生理用ナプキンの向きを知らせる識別機能を有するものであることを把握することができるようになるが、かかる機能を予め知らせるために、例えば、複数の個包装体１００を収容した収容パッケージの外面に識別手段の機能について説明した説明書きやイメージ図を付しておくことが好ましい。
【００４３】
装飾域４０が包装シート１０１から透視されるためには、包装シート１０１の全光線透過率は、少なくとも１０％、すなわち、１０％以上であることが好ましい。かかる全光線透過率が１０％未満の場合には、装飾域４０が視認され難く着用者が生理用ナプキン１０の向きを判断することができないおそれがある。一方、包装シート１０１の全光線透過率が仮に１００％である場合には、装飾域４０の視認は容易になるが、製品自体がすべて透視されてしまうことになり、個包装体に収容された生理用ナプキン１０等の吸収性物品を所持していることが他人に知られてしまい、恥ずかしい思いを強いられるおそれがある。したがって、全光線透過率は、９０％未満であることが好ましい。
【００４４】
装飾域４０は、ウイング部１９の長手方向Ｙへ延びる縦折曲線５，６よりも幅方向Ｘの外側に延在している。したがって、ウイング部１９が縦折曲線５，６に沿って幅方向Ｘの内側へ折り曲げられた状態において、縦断折曲線５，６上に位置する装飾域４０が厚さ方向Ｚにおいて重ねられて、着色された色がより濃くなって視認性が向上する。
【００４５】
また、裏面シート１２の外面において、止着域５０を被覆しているセパレータ２８，２９の両側縁から幅方向Ｘの外側へ延在している。セパレータ２８，２９は、比較的に肉厚なクラフト紙やグラシン紙、プラスチックフィルムにシリコーンを塗布したもの等から形成されるものであるから、装飾域４０全体がセパレータ２８，２９に被覆されている場合には視認性が低下するおそれがあるところ、少なくとも一部がセパレータ２８、２９の一方縁から延在していることによって、包装シート１００から装飾域４０を容易に透視することができるといえる。
【００４６】
図示していないが、個包装体１００において生理用ナプキン１０の装飾域４０と重なる位置に、包装シート１０１も着色された装飾域を有していてもよい。かかる場合には、装飾域４０と包装シート１０１の装飾域とが少なくとも一部で互いに重なり合うことによって視認性が向上し、個包装体１００及び生理用ナプキン１０の幅方向Ｘの一方側と他方側とをより識別しやすくなる。
【００４７】
＜第２実施形態＞
図６は、第２実施形態に係る個包装体１００の図５と同様の図である。図６を参照すると、本実施形態に係る個包装体１００の生理用ナプキン１０では、第１側縁１０ｃは、直線状部分を組み合わせてなる起伏のない線状であるのに対し、第２側縁１０ｄが複数の括れ部分を有する起伏のある線状を有する。生理用ナプキンの第１及び第２側縁１０ｃ，１０ｄは、包装シート１０１から透視可能である。したがって、個包装体１００において折り畳んで収容された状態において、個包装体１００は、第１側縁１０ｃが位置する第１縁部１０２側と第２縁部１０ｄが位置する第２縁部１０３側とにおいて互いに異なるデザインを有し、着用者は、個包装体１００及び生理用ナプキンの幅方向Ｘにおける一方側と他方側とを容易に識別することができる。
【００４８】
＜第３実施形態＞
図７（ａ）は、第３実施形態に係る個包装体１００の図１と同様の斜視図である。本実施形態においては、生理用ナプキン１０の第１側縁部１７に第１装飾域１４１、第２側縁部１８側には第２装飾域１４２がそれぞれ配置されている。第１側縁部１７の第１装飾域１４１では装飾部４１が比較的に密に配置され、第２側縁部１８の第２装飾域１４２では装飾部４１が比較的に疎に配置されている。したがって、第１側縁部１７に位置する第１装飾域１４１の総面積と第２側縁部１８に位置する第２装飾域１４２の総面積とは互いに相異している。
【００４９】
このように、生理用ナプキン１０の第１側縁部１７に位置する第１装飾域１４１と第２側縁部１８に位置する第２装飾域１４２との総面積が互いに異なり、かつ、それらが包装シート１０１を介して透視されることによって、着用者等は、個包装体１００及び生理用ナプキン１０の幅方向Ｘの一方側と他方側とを容易に識別することができる。
【００５０】
＜第４実施形態＞
図７（ｂ）は、第４実施形態に係る図１と同様の斜視図である。図７（ｂ）を参照すると、生理用ナプキン１０の装飾域４０は、第１側縁部１７のうちの横断中心線Ｑと第１端縁１０ａ側との間に位置する領域にのみ配置されている。かかる場合には、個包装体１００の第１縁部１０２において、第３及び第４縁部１０４，１０５のうちの第３縁部１０４側にのみ装飾域４０が位置する。このように、装飾域４０の配置域をさらに限定することによって、着用者は、生理用ナプキン１０の幅方向Ｘにおける向きのみならず、長手方向Ｙの向きについても識別することができる。
【００５１】
また、かかる態様においては、第１側縁部１７のうちの横断中心線Ｑと第２端縁１０ｂ側との間に位置する領域には装飾域４０が配置されていない。着用者等は、第２端縁１０ｂ側において装飾域４０が配置されていないことを視認することによって、生理用ナプキン１０の幅方向Ｘにおける向きのみならず、長手方向Ｙの向きについても識別することができるといえる。特に、包装シート１０１自体が複数の装飾要素を有する場合には、第１端縁１０ａ側にのみ装飾域４０が存在することよりも、第２端縁１０ｂ側にのみ装飾域４０が存在しないことの方が、着用者に長手方向Ｙの向きを外観上識別させ得るものといえる。
【００５２】
＜第５実施形態＞
図８（ａ）は、第５実施形態に係る生理用ナプキン１０の平面図、図８（ｂ）は、第５実施形態に係る個包装体１００の斜視図である。図８（ａ）を参照すると、生理用ナプキン１０の裏面シート１１の内面（又は外面）には、第１端部１５側にのみ識別手段をなす装飾域４０が配置されている。すなわち、生理用ナプキン１０の第１及び第２側縁部１７，１８及び第２端部１６には装飾域４０が配置されていない。
【００５３】
図８（ｂ）を参照すると、かかる実施態様においては、個包装体１００に生理用ナプキンが３つ折りされて収容された状態において、第１端部１５に配置された装飾域４０は、個包装体１００の長手方向Ｙにおいて第４縁部１０５側に位置する。したがって、装飾域４０が第４縁部１０５側において包装シート１０１から透視されることによって、着用者等は個包装体１００及び生理用ナプキン１０の長手方向Ｙの向きを識別することができる。なお、着用者が個包装体１００及び生理用ナプキン１００の長手方向Ｙを識別できる限りにおいては、装飾域４０は、生理用ナプキン１０のうちの横断中心線Ｑと第１端縁１０ａ（又は第２端縁１０ｂ）との間の領域に配置されており、横断中心線Ｑと第２端縁１０ｂ（又は第１端縁１０ａ）との間の領域に配置されていればよい。
【００５４】
図９（ａ）は、第６実施形態に係る生理用ナプキン１０の平面図、図９（ｂ）は、第６実施形態に係る個包装体１００の斜視図である。図９（ａ）を参照すると、生理用ナプキン１０の裏面シート１１には、複数の装飾部４１からなる装飾域４０が、第１折曲線１１１を跨ぐように長手方向Ｙへ延在している。具体的には、装飾域４０を形成する複数の装飾部４１が第１折曲線１１１と交差するとともに、第１折曲線１１１よりも第１端縁１０ａ側の部分と第２端縁１０ｂ側の部分とに位置している。また、第１折曲線１１１の第１端縁１０ａ側の部分において、装飾域４０は横断中心線Ｑと第１折曲線１１１との間に位置しており、横断中心線Ｑよりも第１端縁１０ａ側（又は第２折曲線１１２側）には位置していない。
【００５５】
図９（ｂ）を参照すると、生理用ナプキン１０が第１及び第２折曲線１１１，１１２に沿って３つ折りにされた状態で包装シート１０１に収容された状態において、装飾域４０は、個包装体１００の第４縁部１０５側に位置している。したがって、装飾域４０は、生理用ナプキン１０が折り畳まれて包装シート１０１に収容された状態において、生理用ナプキン１０の長手方向Ｙにおける一方側（第１端縁１０ａ側）と他方側（第２端縁１０ｂ側）とを識別するための識別手段であるとともに、個包装体１００の長手方向Ｙにおける一方側（第３縁部１０４側）と他方側（第４縁部１０５側）とを識別するための識別手段ともいえる。個包装体１００の第４縁部１０５側では、生理用ナプキン１０の装飾域４０の位置する部分が折り重ねられていることで着色がより濃くなって外部からより視認され易くなるといえる。
【００５６】
なお、本実施形態においては、複数の装飾部４１からなる装飾域４０が、第１折曲線１１１を跨ぐように長手方向Ｙへ延在しているが、装飾域４０が第１折曲線１１１ではなく、第２折曲線１１２を跨ぐように長手方向Ｙへ延在していてもよい。かかる場合には、装飾域４０を形成する複数の装飾部４１が第２折曲線１１２と交差するとともに、第２折曲線１１２よりも第１端縁１０ａ側の部分と第２端縁１０ｂ側の部分とに位置している。また、第２折曲線１１２よりも第２端縁１０ｂ側の部分において、装飾域４０は横断中心線Ｑと第２折曲線１１２との間に位置しており、横断中心線Ｑよりも第２端縁１０ｂ側（又は第１折曲線１１１側）には位置していない。
【００５７】
＜複数の個包装体の集合体＞
図１０（ａ）は、複数の個包装体１００Ａ〜１００Ｃからなる集合体２００の斜視図、図１０（ｂ）は、実施例の一例における、集合体２００の斜視図である。なお、集合体２００は、図示したように、３種類の個包装体１００Ａ〜１００Ｃのうちの少なくとも２種類の個包装体を有していればよく、後記の技術的効果を奏する限りにおいて、４種類以上の個包装体を有するものであってもよい。
【００５８】
図１０（ａ）を参照すると、集合体２００は、第１〜第３個包装体１００Ａ〜１００Ｃの幅方向Ｘを上下方向として縦置きして複数並べてなるものであって、第１〜第３個包装体１００Ａ〜１００Ｃは、互いに実質的に等しい外形寸法を有する。第１〜第３個包装体１００Ａ〜１００Ｃに収容された生理用ナプキン１０の識別手段を構成する装飾域１８１，１８２，１８３の装飾要素は互いに相異している。具体的には、第１個包装体１００Ａの装飾域１８１は複数の三角模様、第２個包装体１００Ｂの装飾域１８２は複数のドット模様、第３個包装体１００Ｃの装飾域１８３は複数の星形模様から形成されている。ここで、第１〜第３個包装体１００Ａ〜１００Ｃの外形寸法が実質的に等しいとは、外形寸法の差が１０ｍｍ以内のことを意味する。
【００５９】
このように、第１〜第３個包装体１００Ａ〜１００Ｃの外形寸法が実質的に等しい場合であっても、それらの装飾域１８１〜１８３の装飾域が互いに異なることによって、着用者等は第１〜第３個包装体１００Ａ〜１００Ｃを瞬時に識別することができるとともに、それらの収容された吸収性物品１０の向きも瞬時に識別することができる。したがって、例えば、第１〜第３個包装体１００Ａ〜１００Ｃの外形寸法が実質的に同じであっても、昼用、夜用等の使用用途等に合わせて装飾要素を変えることによって、第１〜第３個別包装体１００Ａ〜１００Ｃの使用用途等を容易に把握、識別することができる。なお、装飾域１８１〜１８３は、互いに外観上識別できる限りにおいて、それを構成する複数の装飾部の形状が相違するほかに、装飾部が同一、類似又は非類似の形状を有し、かつ、着色された色が相違される場合を含む。装飾域１８１〜１８３又はそれを構成する複数の装飾部の形状が同じであっても、着色された色が互いに異なることによって、外観上識別することができる。
【００６０】
図１０（ｂ）を参照すると、本実施例においては、第１〜第３個包装体１００Ａ〜１００Ｃは、それぞれ、異なる外形寸法を有する。第１個包装体１００Ａは、例えば、比較的に長時間着用する夜用の生理用ナプキンを収容したもの、第２個包装体１００Ｂは、例えば、昼用の生理用ナプキンを収容したもの、第３個包装体１００Ｃは、例えば、軽量薄型の生理用ナプキンやパンティライナを収容したものである。第１〜第３個包装体１００Ａ〜１００Ｃに収容された生理用ナプキン１０の識別手段を構成する装飾域１８１，１８２，１８３の装飾要素は互いに相異している。具体的には、第１個包装体１００Ａの装飾域１８１は複数の三角模様、第２個包装体１００Ｂの装飾域１８２は複数のドット模様、第３個包装体１００Ｃの装飾域１８３は複数の星形模様から形成されている。
【００６１】
このように、サイズの異なる大小様々な第１〜第３個包装体１００Ａ〜１００Ｃごとに異なる装飾域１８１〜１８３を有することから、着用者等は、サイズの相違と併せて、装飾域１８１〜１８３の装飾要素の相違によって、より確実にそれらの用途等を把握、識別することができる。なお、装飾域１８１〜１８３の装飾要素については、柄が同じで色が異なることが好ましい。柄が同じであることによって、例えば、同一サイズにおいて昼用の製品と夜用の製品とを一緒に購入して保管するときにも、色の違いで識別することができる。
【００６２】
＜複数の個包装体の収容パッケージ＞
図１１は、複数の個包装体を収容した収容パッケージの一部破断斜視図である。複数の個包装体１００が収容された収容パッケージ３００の一部破断斜視図である。収容パッケージ３００は、複数の個包装体１００が並んで配置された第１列３０１と第２列３０２とを含む収容形態を有する。収容パッケージ３００の第１及び第２列３０１，３０２においては、識別手段を構成する装飾域４０が上方側に位置するように同じ向きに並んで配置されている。
【００６３】
収容パッケージ３００において、複数の個包装体１００が同じ向きに並んで配置されており、かつ、識別手段によって個包装体１００に収容された生理用ナプキン１０の幅方向Ｘの一方側と他方側とを容易に識別することができることから、着用者は、収容パッケージ３００から個包装体１００を取り出して使用するときに、スムーズに生理用ナプキン１０の着用操作を行うことができる。また、収容パッケージ３００の内部には、図９（ａ），（ｂ）に示した態様を有する集合体２００が複数配置されていてもよい。
【００６４】
図１２（ａ）は、実施例の一例における収容パッケージ３００の一部破断斜視図である。本実施例に係る収容パッケージ３００は、第１方向（長手方向）Ａと、それに交差する第２方向（上下方向）Ｂと、第１方向Ａにおいて対向する第１面３０１及び第２面３０２を有する。個包装体１００は、第２方向Ｂへ複数並んで配置され、かつ、前記第１方向Ａにおいて互いに装飾域４０の向きが合うように同じ向きに収容されている。
【００６５】
収容パッケージ３００の第１及び第２面３０１，３０２のうちの第１面３０１にのみパッケージ装飾域３４０が配置されている。個包装体１００に収容された生理用ナプキン１０の装飾域４０の一部は、パッケージ装飾域３４０と第１方向Ａにおいて対向して位置している。複数の個包装体１００を収容パッケージ３００内において、収容パッケージ３００の第１面３０１に位置するパッケージ装飾域３４０と個包装体１００の装飾域４０とを位置合わせするように収容することによって、収容パッケージ３００内で複数の個包装体１００が同程度に圧迫された状態で積層されることから、取り出したときに、個包装体１００及び／又は生理用ナプキン１０の厚さ寸法が異なることを抑制することができる。
【００６６】
図１２（ｂ）は、他の実施例の一例における収容パッケージ３００の一部破断斜視図である。本実施例に係る収容パッケージ３００は、第１方向（長手方向）Ａと、それに交差する第２方向（上下方向）Ｂ及び第３方向（幅方向）Ｃと、第１方向Ａにおいて対向する第１面３０１及び第２面３０２を有する。個包装体１００は、第２方向Ｂへ複数並んで配置され、かつ、前記第３方向Ｃにおいて互いに装飾域４０の向きが合うように同じ向きに収容されている。
【００６７】
収容パッケージ３００の第１面３０１は、第３方向Ｃにおいて対向する第１側部３０１Ａと第２側部３０１Ｂとを有する。第１側部３０１Ａにはパッケージ装飾域３４０が位置し、個包装体１００の装飾域４０は第１側部３０１Ａ側に位置している。かかる実施例によれば、第１面３０１にミシン目による取出し口が位置する場合において、第２方向Ｂに積み重ねられた複数の個包装体１００の装飾域４０は第１側面３０１の第１側部３０１Ａ側に位置することを収容パッケージ３００の外部から把握することができるので、個包装体１００の収容パッケージ３００からの取出しから展開までの操作をスムーズに行うことができる。また、このように、収容パッケージ１００のパッケージ装飾域３４０と個包装体１００の装飾域４０とを位置合わせするように収容することによって、収容パッケージ３００内で複数の個包装体１００が同程度に圧迫された状態で積層されることから、取り出したときに、個包装体１００及び／又は生理用ナプキン１０の厚さ寸法が異なることを抑制することができる。
【符号の説明】
【００６８】
５      縦断折曲線
６      縦断折曲線
１０    吸収性物品（生理用ナプキン）
１０ａ  第１端縁
１０ｂ  第２端縁
１０ｃ  第１側縁
１０ｄ  第２側縁
１１    表面シート
１２    裏面シート
１７    第１側縁部
１８    第２側縁部
１９    ウイング部
２０    吸収体
２８    セパレータ
２９    セパレータ
４０    装飾域
４１    装飾部
５０    止着域
５１    中央止着域
５２    サイド止着域
１００  個包装体
１００Ａ  第１個包装体
１００Ｂ  第２個包装体
１００Ｃ  第３個包装体
１０１  包装シート
１４１  第１装飾域
１４２  第２装飾域
１８１  装飾域
１８２  装飾域
１８３  装飾域
２００  集合体
３００  収容パッケージ
Ｐ    縦断中心線
Ｑ    横断中心線
Ｘ  幅方向
Ｙ  長手方向
【図１】
2020005847.tif 000003
【図２】
2020005847.tif 000004
【図３】
2020005847.tif 000005
【図４】
2020005847.tif 000006
【図５】
2020005847.tif 000007
【図６】
2020005847.tif 000008
【図７】
2020005847.tif 000009
【図８】
2020005847.tif 000010
【図９】
2020005847.tif 000011
【図１０】
2020005847.tif 000012
【図１１】
2020005847.tif 000013
【図１２】
2020005847.tif 000014